(57)【要約】照明装置において、光源に対する光源駆動部の接続構造を簡素化する。本発明に係るバックライト装置１２は、光源であるＬＥＤ１７が実装された複数のＬＥＤ基板１８を備え、ＬＥＤ基板１８には、実装されたＬＥＤ１７に電気的に接続される接続配線２７と、実装されたＬＥＤ１７には電気的に接続されないスルー配線２８とが設けられており、接続配線２７には、他のＬＥＤ基板１８におけるスルー配線２８が電気的に接続されている。各ＬＥＤ基板１８において実装されたＬＥＤ１７に電気的に接続される接続配線２７は、他のＬＥＤ基板１８においてＬＥＤ１７には電気的に接続されないスルー配線２８に対してそれぞれ電気的に接続される。
2011058903.tif 000002
【特許請求の範囲】
【請求項１】
光源が実装された複数の光源基板を備え、
前記光源基板には、実装された前記光源に電気的に接続される接続配線と、実装された前記光源には電気的に接続されないスルー配線とが設けられており、前記接続配線には、他の前記光源基板における前記スルー配線が電気的に接続されている照明装置。
【請求項２】
前記光源基板における一端側に第１端子部が、他端側に第２端子部がそれぞれ設けられており、前記第１端子部には、前記接続配線における一端側に設けられた接続用第１端子と、前記スルー配線における一端側に設けられたスルー用第１端子とが互いに隣り合って配されるのに対し、前記第２端子部には、前記接続配線における他端側に設けられた接続用第２端子と、前記スルー配線における他端側に設けられたスルー用第２端子とが互いに隣り合って配されており、
前記接続配線及び前記スルー配線は、前記第１端子部における前記接続用第１端子及び前記スルー用第１端子の配置と、第２端子部における前記接続用第２端子及び前記スルー用第２端子の配置とが異なるよう、互いに交差する交差部を有している請求項１記載の照明装置。
【請求項３】
前記光源基板は、少なくとも第１光源基板と第２光源基板と第３光源基板とから構成され、それぞれの前記光源基板には、前記スルー配線が少なくとも２本ずつ設けられており、
前記第１光源基板における前記接続配線は、前記第２光源基板における前記スルー配線のいずれかと、前記第３光源基板における前記スルー配線のいずれかとに接続され、前記第１光源基板における少なくとも２本の前記スルー配線は、前記第２光源基板における前記接続配線または前記第１光源基板の前記接続配線に接続されたものとは別の前記スルー配線と、前記第３光源基板のうち前記第１光源基板の前記接続配線に接続されたものとは別の前記スルー配線または前記接続配線とにそれぞれ接続されている請求項２記載の照明装置。
【請求項４】
前記光源基板には、前記第１端子部を有するコネクタ部が設けられる一方、前記第２端子部を有するとともに前記他の光源基板における前記コネクタ部に対して差し込まれるコネクタ接続部が設けられている請求項２または請求項３記載の照明装置。
【請求項５】
前記第１光源基板における前記第２端子部と前記第２光源基板における前記第１端子部とを中継接続する第１中継部品と、前記第２光源基板における前記第２端子部と前記第３光源基板における前記第２端子部とを中継接続する第２中継部品とを備えており、
前記第１中継部品は、前記第１光源基板における前記第２端子部と前記第２光源基板における前記第１端子部とに接続されるとともに互いに並行する複数の並行中継配線を有するのに対し、前記第２中継部品は、前記第２光源基板における前記第２端子部と前記第３光源基板における前記第２端子部とに接続されるとともに互いに交差する複数の交差中継配線を有している請求項３記載の照明装置。
【請求項６】
前記第１光源基板及び前記第２光源基板は、前記第１光源基板における前記第２端子部と前記第２光源基板における前記第１端子部とを隣り合わせた形で並列して配されるのに対し、前記第２光源基板及び前記第３光源基板は、前記第１光源基板及び前記第２光源基板の並び方向と交差する方向に並列して配されている請求項５記載の照明装置。
【請求項７】
前記光源基板には、前記第１端子部を有する第１コネクタ部と、前記第２端子部を有する第２コネクタ部とが設けられているのに対し、前記第１中継部品及び前記第２中継部品は、前記第１コネクタ部または前記第２コネクタ部に対して差し込まれるものとされる請求項５または請求項６記載の照明装置。
【請求項８】
前記光源における発光面と対向する導光部材が備えられている請求項１から請求項７のいずれか１項に記載の照明装置。
【請求項９】
前記導光部材は、前記複数の光源基板に対応して複数備えられるとともに、相互に並列して配されている請求項８記載の照明装置。
【請求項１０】
前記導光部材は、前記発光面と対向するとともに光が入射される光入射面と、前記光入射面と交差し且つ前記光源と前記光入射面との並び方向に並行する形態とされるとともに光を出射させる光出射面とを備えている請求項８または請求項９記載の照明装置。
【請求項１１】
前記光源は、ＬＥＤとされる請求項１から請求項１０のいずれか１項に記載の照明装置。
【請求項１２】
前記複数の光源基板にそれぞれ電気的に接続される光源駆動部を備えている請求項１から請求項１１のいずれか１項に記載の照明装置。
【請求項１３】
請求項１から請求項１２のいずれか１項に記載の照明装置と、前記照明装置からの光を利用して表示を行う表示パネルとを備える表示装置。
【請求項１４】
前記表示パネルは、一対の基板間に液晶を封入してなる液晶パネルとされる請求項１３記載の表示装置。
【請求項１５】
請求項１３または請求項１４に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは自発光しないため、当該液晶パネルに照明光を供給する外部光源として、バックライト装置が必要とされる。このバックライト装置においては、低消費電力化や輝度の向上といった要請に応えるべく、ＬＥＤを光源として用いるものが注目されている。なお、ＬＥＤを光源とするバックライト装置の一例として下記特許文献１に記載されたものが知られている。
【先行技術文献】
【特許文献】
【０００３】
【特許文献１】特開２００７−１６５０６４号公報
【０００４】
（発明が解決しようとする課題）
この種のバックライト装置は、複数のＬＥＤを実装したＬＥＤ基板を備えるとともに、そのＬＥＤ基板上に各ＬＥＤを電気的に接続する配線パターンを形成し、さらに配線パターンの端部に形成した端子部に、駆動回路基板に接続されたＦＰＣを接続する、といった接続構造を備えている。【０００５】
ところで、近年、液晶表示装置の大画面化が進行しており、それに伴いバックライト装置に使用するＬＥＤの数が著しく増加する傾向にある。ここで、複数のＬＥＤを直列駆動するにあたっては、直列接続するＬＥＤの数が増加するほど駆動電圧も大きくなる傾向とされるものの、現実には駆動電圧に制限があるため、直列駆動できるＬＥＤの数は一定とされる。そのため、大画面化に伴い多数のＬＥＤを駆動するには、多数のＬＥＤを複数のＬＥＤ群に分けておき、それぞれのＬＥＤ群を個別に直列駆動する、といった手法を採ることが考えられる。【０００６】
しかしながら、上記した手法を採用すると、各ＬＥＤ群毎に駆動回路基板に接続するための配線を設ける必要が生じるため、使用する配線の数が多くなるとともにその取り回しが複雑なものとなり、製造時の組み付け作業性などが悪化するといった問題が生じる可能性があった。
【発明の概要】
【０００７】
本発明は上記のような事情に基づいて完成されたものであって、光源に対する光源駆動部の接続構造を簡素化することを目的とする。
【０００８】
（課題を解決するための手段）
本発明の照明装置は、光源が実装された複数の光源基板を備え、前記光源基板には、実装された前記光源に電気的に接続される接続配線と、実装された前記複数の光源には電気的に接続されないスルー配線とが設けられており、前記接続配線には、他の前記光源基板における前記スルー配線が電気的に接続されている。
【０００９】
このようにすれば、各光源基板において実装された光源に電気的に接続される接続配線は、他の光源基板において光源には電気的に接続されないスルー配線に対してそれぞれ電気的に接続される。従って、所定の光源基板に実装された光源は、接続配線及び他の光源基板のスルー配線を介して外部の光源駆動部に電気的に接続されることで駆動可能とされる。つまり、他の光源基板に設けたスルー配線を利用して光源を外部の光源駆動部に接続しているので、仮に各光源基板毎に外部の光源駆動部への接続用の配線を光源基板とは別途に設けた場合と比べると、接続構造を簡素化することができ、作業性などに優れる。
【００１０】
本発明の実施態様として、次の構成が好ましい。
（１）前記光源基板における一端側に第１端子部が、他端側に第２端子部がそれぞれ設けられており、前記第１端子部には、前記接続配線における一端側に設けられた接続用第１端子と、前記スルー配線における一端側に設けられたスルー用第１端子とが互いに隣り合って配されるのに対し、前記第２端子部には、前記接続配線における他端側に設けられた接続用第２端子と、前記スルー配線における他端側に設けられたスルー用第２端子とが互いに隣り合って配されており、前記接続配線及び前記スルー配線は、前記第１端子部における前記接続用第１端子及び前記スルー用第１端子の配置と、第２端子部における前記接続用第２端子及び前記スルー用第２端子の配置とが異なるよう、互いに交差する交差部を有している。
【００１１】
このようにすれば、所定の光源基板と他の光源基板とを電気的に接続するにあたり、例えば所定の光源基板における第２端子部に、他の光源基板における第１端子部を接続する。ここで、接続配線とスルー配線とが交差部を有することで、所定の光源基板における第２端子部をなす接続用第２端子及びスルー用第２端子の配置と、他の光源基板における第１端子部をなす接続用第１端子及びスルー用第１端子の配置とが異なるものとされているから、第２端子部に第１端子部を接続すると、接続用第２端子とスルー用第１端子とが接続されるとともに、スルー用第２端子と接続用第１端子とが接続される。これにより、所定の光源基板における接続配線と他の光源基板におけるスルー配線とが接続されるとともに、所定の光源基板におけるスルー配線と他の光源基板における接続配線とが接続されることになる。従って、複数の光源基板を同じ配線構造としても、相互の接続配線とスルー配線とを接続することが可能となり、もって光源基板に係る製造コストを低減することができる。
【００１２】
（２）前記光源基板は、少なくとも第１光源基板と第２光源基板と第３光源基板とから構成され、それぞれの前記光源基板には、前記スルー配線が少なくとも２本ずつ設けられており、前記第１光源基板における前記接続配線は、前記第２光源基板における前記スルー配線のいずれかと、前記第３光源基板における前記スルー配線のいずれかとに接続され、前記第１光源基板における少なくとも２本の前記スルー配線は、前記第２光源基板における前記接続配線または前記第１光源基板の前記接続配線に接続されたものとは別の前記スルー配線と、前記第３光源基板のうち前記第１光源基板の前記接続配線に接続されたものとは別の前記スルー配線または前記接続配線とにそれぞれ接続されている。このようにすれば、３枚以上の光源基板を好適に接続することができる。
【００１３】
（３）前記光源基板には、前記第１端子部を有するコネクタ部が設けられる一方、前記第２端子部を有するとともに前記他の光源基板における前記コネクタ部に対して差し込まれるコネクタ接続部が設けられている。このようにすれば、仮に各端子部同士を中継接続する中継部品を光源基板とは別途に設けた場合と比べて、部品点数を削減することができ、低コスト化を図ることができる。
【００１４】
（４）前記第１光源基板における前記第２端子部と前記第２光源基板における前記第１端子部とを中継接続する第１中継部品と、前記第２光源基板における前記第２端子部と前記第３光源基板における前記第２端子部とを中継接続する第２中継部品とを備えており、前記第１中継部品は、前記第１光源基板における前記第２端子部と前記第２光源基板における前記第１端子部とに接続されるとともに互いに並行する複数の並行中継配線を有するのに対し、前記第２中継部品は、前記第２光源基板における前記第２端子部と前記第３光源基板における前記第２端子部とに接続されるとともに互いに交差する複数の交差中継配線を有している。
【００１５】
まず、第１光源基板及び第２光源基板は、第２端子部と第１端子部とが第１中継部品により中継接続される。ここで、第２端子部をなす接続用第２端子及びスルー用第２端子の配置と、第１端子部をなす接続用第１端子及びスルー用第１端子の配置とが異なるものとされるのに対して、第１中継部品が並行中継配線を有しているので、第１光源基板における接続配線の接続用第２端子を、第２光源基板におけるスルー配線のスルー用第１端子のいずれかに、第１光源基板における各スルー配線のスルー用第２端子を、第２光源基板における接続配線の接続用第１端子または第１光源基板の接続配線に接続されたものとは別のスルー配線のスルー用第１端子にそれぞれ接続することができる。
【００１６】
一方、第２光源基板及び第３光源基板は、第２端子部同士が第２中継部品により中継接続される。ここで、互いの第２端子部をなす接続用第２端子及びスルー用第２端子の配置が同一とされるのに対して、第２中継部品は、交差中継配線を有しているので、第２光源基板における接続配線の接続用第２端子を、第３光源基板におけるスルー配線のスルー用第２端子のいずれかに、第２光源基板のうち第１光源基板における接続配線に接続されたスルー配線におけるスルー用第２端子を、第３光源基板のうち第２光源基板の接続配線に接続されたものとは別のスルー配線におけるスルー用第２端子に、第２光源基板のうち第１光源基板における接続配線とは接続されないスルー配線におけるスルー用第２端子を、第３光源基板における接続配線の接続用第２端子にそれぞれ接続することができる。
【００１７】
このように、第１端子部と第２端子部とを中継接続する第１中継部品に加えて、第２中継部品を用意することで第２端子部同士を接続することができるので、当該照明装置内における各光源基板の配置の自由度を高めることが可能とされる。
【００１８】
（５）前記第１光源基板及び前記第２光源基板は、前記第１光源基板における前記第２端子部と前記第２光源基板における前記第１端子部とを隣り合わせた形で並列して配されるのに対し、前記第２光源基板及び前記第３光源基板は、前記第１光源基板及び前記第２光源基板の並び方向と交差する方向に並列して配されている。このようにすれば、第３光源基板が、第２光源基板に対して、第１光源基板及び第２光源基板における並び方向と交差する方向に並列して配されているので、当該照明装置を大型化する上で好適となる。
【００１９】
（６）前記光源基板には、前記第１端子部を有する第１コネクタ部と、前記第２端子部を有する第２コネクタ部とが設けられているのに対し、前記第１中継部品及び前記第２中継部品は、前記第１コネクタ部または前記第２コネクタ部に対して差し込まれるものとされる。このようにすれば、第１コネクタ部及び第２コネクタ部を含めて光源基板として同一部品を用いることが可能となるので、光源基板に係る製造コストを一層低減できる。
【００２０】
（７）前記光源における発光面と対向する導光部材が備えられている。このようにすれば、導光部材により光源からの光を導光しつつ出射させることができる。
【００２１】
（８）前記導光部材は、前記複数の光源基板に対応して複数備えられるとともに、相互に並列して配されている。このようにすれば、光源基板毎に導光部材を用意するとともに各光源基板における各光源をそれぞれ駆動することで、導光部材毎に出光の是非を制御することが可能となる。また、仮に１枚の大型の導光部材を用いた場合に比べると、各導光部材の製造を容易なものとすることができる。
【００２２】
（９）前記導光部材は、前記発光面と対向するとともに光が入射される光入射面と、前記光入射面と交差し且つ前記光源と前記光入射面との並び方向に並行する形態とされるとともに光を出射させる光出射面とを備えている。このようにすれば、導光部材における光入射面と対向状に配した光源からの光を、光入射面と交差し且つ光源と光入射面との並び方向に並行する形態の光出射面から出射させることができる。これにより、当該照明装置の薄型化に好適となる。
【００２３】
（１０）前記光源は、ＬＥＤとされる。このようにすれば、高輝度化などを図ることができる。
（１１）前記複数の光源基板にそれぞれ電気的に接続される光源駆動部を備えている。このようにすれば、当該照明装置に備えられた光源駆動部により複数の光源基板における各光源を駆動することができる。
【００２４】
次に、上記課題を解決するために、本発明の表示装置は、上記記載の照明装置と、前記照明装置からの光を利用して表示を行う表示パネルとを備える。
【００２５】
このような表示装置によると、表示パネルに対して光を供給する照明装置が、光源に対する光源駆動部の接続構造が簡素化されているから、製造コストの低減などを図ることが可能となる。
【００２６】
前記表示パネルとしては液晶パネルを例示することができる。このような表示装置は液晶表示装置として、種々の用途、例えばテレビやパソコンのディスプレイ等に適用でき、特に大型画面用として好適である。
【００２７】
（発明の効果）
本発明によれば、光源に対する光源駆動部の接続構造を簡素化することができる。
【図面の簡単な説明】
【００２８】
【図１】本発明の実施形態１に係るテレビ受信装置の概略構成を示す分解斜視図
【図２】テレビ受信装置が備える液晶表示装置の概略構成を示す分解斜視図
【図３】液晶表示装置の短辺方向に沿った断面構成を示す断面図
【図４】液晶表示装置の長辺方向に沿った断面構成を示す断面図
【図５】ＬＥＤ基板の接続構造を示す正面図
【図６】ＬＥＤの駆動回路の概略を表す回路図
【図７】ＬＥＤの駆動回路の詳細を表す回路図
【図８】本発明の実施形態２に係るＬＥＤ基板と導光部材との平面配置を示す平面図
【図９】液晶表示装置の短辺方向に沿った断面構成を示す断面図
【図１０】ＬＥＤの駆動回路の詳細を表す回路図
【図１１】本発明の実施形態３に係るＬＥＤの駆動回路の詳細を表す回路図
【図１２】本発明の実施形態４に係るＬＥＤの駆動回路の詳細を表す回路図
【発明を実施するための形態】
【００２９】
＜実施形態１＞
本発明の実施形態１を図１から図７によって説明する。本実施形態では、液晶表示装置１０について例示する。なお、各図面の一部にはＸ軸、Ｙ軸及びＺ軸を示しており、各軸方向が各図面で示した方向となるように描かれている。また、図３及び図４に示す上側を表側とし、同図下側を裏側とする。
【００３０】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形（矩形状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００３１】
液晶パネル１１は、図２に示すように、平面視矩形状をなしており、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００３２】
バックライト装置１２は、図２に示すように、光出射面側（液晶パネル１１側）に開口部を有した略箱型をなすシャーシ１４と、シャーシ１４の開口部を覆うようにして配される光学部材１５群、シャーシ１４の外縁部に沿って配され光学部材１５群の外縁部をシャーシ１４との間で挟んで保持するフレーム１６とを備える。さらに、シャーシ１４内には、光源であるＬＥＤ１７（Light Emitting Diode：発光ダイオード）と、ＬＥＤ１７が実装されたＬＥＤ基板１８と、ＬＥＤ１７からの光を導光して光学部材１５（液晶パネル１１）へと導く導光部材１９と、導光部材１９の裏側に配される反射シート２０と、光学部材１５及び液晶パネル１１の縁部が載置される一対のホルダ２１とが備えられる。そして、このバックライト装置１２は、液晶パネル１０及び光学部材１５の直下に導光部材１９を配するとともに、その導光部材１９の端部にＬＥＤ１７を有するＬＥＤ基板１８を配してなる、いわゆるエッジライト型（サイドライト型）とされている。以下では、バックライト装置１２の各構成部品について詳しく説明する。
【００３３】
シャーシ１４は、金属製とされ、図３及び図４に示すように、液晶パネル１１と同様に矩形状をなす底板１４ａと、底板１４ａの各辺の外端からそれぞれ立ち上がる側板１４ｂと、各側板１４ｂのうち長辺側の一対の側板１４ｂから内向きに突き出す受け板１４ｃとからなり、全体としては表側に向けて開口した浅い略箱型をなしている。シャーシ１４は、その長辺方向がＸ軸方向（水平方向）と一致し、短辺方向がＹ軸方向（鉛直方向）と一致している。シャーシ１４における各受け板１４ｃには、表側からフレーム１６及び次述する光学部材１５が載置可能とされる。各受け板１４ｃには、フレーム１６がねじ止めされている。
【００３４】
光学部材１５は、図２に示すように、液晶パネル１１及びシャーシ１４と同様に平面に視て矩形状をなしている。光学部材１５は、図３に示すように、その外縁部が受け板１４ｃに載せられることで、シャーシ１４の開口部を覆うとともに、液晶パネル１１と導光部材１９との間に介在して配される。光学部材１５は、シート状をなしており、３枚が積層して配されている（図２）。具体的な光学部材１５の種類としては、例えば拡散シート、レンズシート、反射型偏光シートなどがあり、これらの中から適宜に選択して使用することが可能である。
【００３５】
フレーム１６は、図２及び図３に示すように、シャーシ１４の長辺方向に沿って延びる形態とされ、シャーシ１４における受け板１４ｃの表側にそれぞれ取り付けられる。このフレーム１６と受け板１４ｃとの間で光学部材１５における長辺側縁部を挟持可能とされている。また、このフレーム１６は、液晶パネル１１における長辺側縁部を裏側から受けることができる。
【００３６】
ホルダ２１は、白色を呈する合成樹脂製とされており、図２及び図４に示すように、シャーシ１４の短辺方向に沿って延びる細長い略箱型をなすとともに、シャーシ１４の短辺側の側板１４ｂに沿って配された状態でシャーシ１４に対して取り付けられている。ホルダ２１は、その表面側に光学部材１５及び液晶パネル１１を段違いに載置可能な階段状面を有しており、光学部材１５及び液晶パネル１１における短辺側縁部を裏側から受けることができる。
【００３７】
ＬＥＤ１７は、図２及び図３に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光を、白色の光に変換する蛍光体が分散配合されている。これにより、このＬＥＤ１７は、白色発光が可能とされる。このＬＥＤ１７は、ＬＥＤ基板１８に対する実装面とは反対側の面が発光面となる、いわゆるトップ型とされる。
【００３８】
ＬＥＤ基板１８は、図２及び図３に示すように、シャーシ１４の長辺方向（Ｘ軸方向）に沿って延びる細長い板状をなすとともに、その主板面をＸ軸方向及びＺ軸方向に並行した姿勢、つまり液晶パネル１１及び光学部材１５の板面と直交させた姿勢でシャーシ１４内に収容されている。ＬＥＤ基板１８は、シャーシ１４内における長辺側の一端部に、複数枚（本実施形態では３枚）がＸ軸方向に沿って並列して配されるとともに、長辺側の側板１４ｂにおける内面にそれぞれ取り付けられている。各ＬＥＤ基板１８は、その長辺方向の端部を互いに隣り合わせて配されている。ＬＥＤ基板１８のうち側板１４ｂ側とは反対側を向いた主板面には、上記した構成のＬＥＤ１７が表面実装されている。ＬＥＤ１７は、ＬＥＤ基板１８の主板面において、その長さ方向（Ｘ軸方向）に沿って複数（本実施形態では８個）が一列に（直線的に）並列配置されている。従って、ＬＥＤ１７は、バックライト装置１２における長辺側の一端部において長辺方向に沿って複数並列配置されていると言える。各ＬＥＤ基板１８は、ＬＥＤ１７の実装面がＸ軸方向及びＺ軸方向に並行し且つ同実装面が全て側板１４ｂ側とは反対側を向いた姿勢とされるので、そこに実装された各ＬＥＤ１７における光軸がＹ軸方向とほぼ一致し且つその発光方向が全て同一（側板１４ｂ側とは反対方向）とされる。
【００３９】
また、ＬＥＤ基板１８の基材は、シャーシ１４と同じアルミ系材料などの金属製とされ、その表面に絶縁層を介して銅箔などの金属膜からなる配線パターンが形成された構成とされる。この配線パターンの詳細については、外部との接続構造と共に後に詳しく説明するものとする。なお、ＬＥＤ基板１８の基材に用いる材料としては、エポキシ樹脂系の絶縁材料を用いることも可能である。
【００４０】
導光部材１９は、屈折率が空気よりも十分に高く且つほぼ透明な（透光性に優れた）合成樹脂材料（例えばアクリルなど）からなる。導光部材１９は、図２及び図３に示すように、シャーシ１４内において液晶パネル１１及び光学部材１５の直下位置にて複数（本実施形態では３枚）がＸ軸方向、つまり各ＬＥＤ基板１８の並び方向に沿って並列して配されている。導光部材１９は、シャーシ１４における設置数がＬＥＤ基板１８と同数とされ、そのＸ軸方向についての大きさもＬＥＤ基板１８とほぼ同じに揃えられている。ＬＥＤ１７（ＬＥＤ基板１８）と導光部材１９との並び方向がＹ軸方向と一致するのに対して、光学部材１５（液晶パネル１１）と導光部材１９との並び方向がＺ軸方向と一致しており、両並び方向が互いに直交するものとされる。そして、導光部材１９は、ＬＥＤ１７からＹ軸方向に向けて発せられた光を導入するとともに、その光を内部で伝播させつつ光学部材１５側（Ｚ軸方向）へ向くよう立ち上げて出射させる機能を有する。また、隣り合う導光部材１９の間には、屈折率が導光部材１９よりも低い空気層が介在しており、それにより各導光部材１９内の光が空気層との界面において概ね全反射され、もって隣り合う導光部材１９間で不用意に光が行き交うことが回避されている。
【００４１】
導光部材１９は、平面に視て矩形状をなすとともにＹ軸方向に沿って切断した断面形状が略楔形をなしており、Ｙ軸方向についてＬＥＤ１７側の端部が相対的に厚さが大きく、ＬＥＤ１７側とは反対側の端部が相対的に厚さが小さくなっている。導光部材１９のうち、上記した厚さが大きな端部におけるＬＥＤ１７の発光面（ＬＥＤ基板１８の実装面）との対向面が、ＬＥＤ１７からの光が入射される光入射面１９ａとされる。これに対し、導光部材１９における表側の主板面、つまり光学部材１５との対向面が、導光部材１９内の光を出射させる光出射面１９ｂとされる。光入射面１９ａは、Ｘ軸方向及びＺ軸方向に沿うものとされ、液晶パネル１１及び光学部材１５の板面とは直交する関係にあるのに対し、光出射面１９ｂは、液晶パネル１１及び光学部材１５の板面（Ｘ軸方向及びＹ軸方向）に沿うものとされ、光入射面１９ａとは直交する関係にある。また、ＬＥＤ１７と光入射面１９ａとの並び方向（Ｙ軸方向）は、光出射面１９ｂと並行している。
【００４２】
導光部材１９のうち、裏側の主板面、つまり光出射面１９ｂとは反対側の面１９ｃには、導光部材１９内の光を表側へ反射させる反射シート２０が配されている。この反射シート２０の設置面１９ｃは、Ｙ軸方向に対して傾斜状をなすとともに光を散乱させることが可能な微細な凹凸部（図示せず）を有している。従って、導光部材１９内を伝播する光は、反射シート２０の設置面１９ｃにて散乱反射されたり、散乱されてから反射シート２０にて反射されることで表側に立ち上げられて光出射面１９ｂに達するので、光出射面１９ｂに対する入射角が臨界角を超えないものが少なからず生じており、それにより光出射面１９ｂから外部へと出射されるようになっている。なお、凹凸部は、その光の散乱度合いがＬＥＤ１７から遠ざかるほど高くなる分布を有しており、それにより光出射面１９ｂにおける面内において均一な出射光が得られるようになっている。
【００４３】
次に、ＬＥＤ１７の駆動回路（点灯回路）について説明する。本実施形態に係るバックライト装置１２に備えられた多数（具体的には２４個）のＬＥＤ１７は、図６に示すように、複数のＬＥＤ１７群にグループ化され、それら複数のＬＥＤ１７群がＬＥＤ１７を駆動制御するためのＬＥＤ駆動部２２に対して並列した形でそれぞれ接続されるとともにＬＥＤ１７群に含まれる複数のＬＥＤ１７が直列駆動されるようになっている。それにより、各ＬＥＤ１７群の駆動に必要な駆動電圧を低く抑えることができるものとされる。具体的には、ＬＥＤ１７は、各ＬＥＤ基板１８毎に３つにグループ化されており、１つのＬＥＤ１７群は、各ＬＥＤ基板１８に実装されて相互に直列接続された８つのＬＥＤ１７から構成されている。従って、３枚のＬＥＤ基板１８は、８つのＬＥＤ１７を直列接続してなる各ＬＥＤ１７群がＬＥＤ駆動部２２に対して並列した形で接続されるような接続構造及び配線パターンを有しており、その接続構造及び配線パターンに関して以下に詳しく説明する。
【００４４】
先に、ＬＥＤ基板１８における外部との接続構造について説明する。ＬＥＤ基板１８における長辺方向の一方の端部（図５に示す左側の端部）には、図５に示すように、コネクタ部２３が一体に設けられているのに対し、他方の端部（図５に示す右側の端部）には、コネクタ部２３に差し込み可能とされるコネクタ接続部２４が一体に設けられている。コネクタ部２３には、上記したコネクタ接続部２４の他、ＬＥＤ駆動部２２に接続された入力用ＦＰＣ２５を差し込むことが可能とされる。コネクタ接続部２４は、上記したコネクタ部２３の他、ＬＥＤ駆動部２２に接続された出力用コネクタ２６に対しても差し込みが可能とされる。これらコネクタ部２３及びコネクタ接続部２４には、後述する配線パターンの端部に形成された各端子が配されており、差し込みに伴い相互の各端子間で導通接触がとられるものとされる。
【００４５】
シャーシ１４内に配された３枚のＬＥＤ基板１８は、互いのコネクタ部２３とコネクタ接続部２４とが隣り合うよう並列されており、コネクタ接続部２４が隣り合うコネクタ部２３に差し込まれることで各ＬＥＤ基板１８の相互の電気的な接続が図られるようになっている。これら３枚のＬＥＤ基板１８について、入力用ＦＰＣ２５が差し込まれるコネクタ部２３を有するＬＥＤ基板１８を第１ＬＥＤ基板１８Ａとし、出力用コネクタ２６に差し込まれるコネクタ接続部２４を有するＬＥＤ基板１８を第３ＬＥＤ基板１８Ｃとし、第１ＬＥＤ基板１８Ａ及び第３ＬＥＤ基板１８Ｃ間に配されるＬＥＤ基板１８を第２ＬＥＤ基板１８Ｂとする。また、ＬＥＤ駆動部２２は、シャーシ１４の裏面側に配された駆動回路基板に備えられており、上記した入力用ＦＰＣ２５及び出力用コネクタ２６を介して各ＬＥＤ基板１８に対して電気的に接続されている。なお、以下ではＬＥＤ基板１８を区別する場合には、第１ＬＥＤ基板の符号に添え字Ａを、第２ＬＥＤ基板の符号に添え字Ｂを、第３ＬＥＤ基板の符号に添え字Ｃを付し、区別せずに総称する場合には、符号に添え字を付さないものとする。
【００４６】
続いて、各ＬＥＤ基板１８に形成された配線パターンについて説明する。配線パターンは、図７に示すように、実装された８つのＬＥＤ１７を相互に電気的に接続する接続配線２７と、複数のＬＥＤ１７とは電気的に接続されないスルー配線２８とから構成される。接続配線２７は、８つのＬＥＤ１７を横切るとともに全ＬＥＤ１７を直列接続しており、その一方の端部がコネクタ部２３に配された接続用第１端子２７ａとされるのに対し、他方の端部がコネクタ接続部２４に配された接続用第２端子２７ｂとされる。スルー配線２８は、８つのＬＥＤ１７のいずれとも電気的に接続されることなくＬＥＤ基板１８を長辺方向に沿って横切る形態とされる。スルー配線２８は、他のＬＥＤ基板１８の数（全ＬＥＤ基板１８数から１を引いた数）に応じて２本備えられており、第１スルー配線２８Ａと第２スルー配線２８Ｂとからなる。なお、以下ではスルー配線２８を区別する場合には、第１スルー配線の符号に添え字Ａを、第２スルー配線の符号に添え字Ｂを付し、区別せずに総称する場合には、符号に添え字を付さないものとする。
【００４７】
第１スルー配線２８Ａにおける一方の端部がコネクタ部２３に配された第１スルー用第１端子２８Ａａとされるのに対し、他方の端部がコネクタ接続部２４に配された第１スルー用第２端子２８Ａｂとされる。同様に、第２スルー配線２８Ｂにおける一方の端部がコネクタ部２３に配された第２スルー用第１端子２８Ｂａとされるのに対し、他方の端部がコネクタ接続部２４に配された第２スルー用第２端子２８Ｂｂとされる。そして、コネクタ部２３には、接続用第１端子２７ａ、第１スルー用第１端子２８Ａａ及び第２スルー用第１端子２８Ｂａが互いに隣り合いつつ並列して配されてなる第１端子部２３ａが形成されるのに対し、コネクタ接続部２４には、接続用第２端子２７ｂ、第１スルー用第２端子２８Ａｂ及び第２スルー用第２端子２８Ｂｂが互いに隣り合いつつ並列して配されてなる第２端子部２４ａが形成されている。本実施形態では、各ＬＥＤ基板１８Ａ〜１８Ｃにおいて、第１端子部２３ａが全て入力側の端子部とされ、第２端子部２４ａが全て出力側の端子部とされる。また、入力用ＦＰＣ２５には、入力用第１端子２５ａ、入力用第２端子２５ｂ及び入力用第３端子２５ｃが形成されるのに対し、出力用コネクタ２６には、出力用第１端子２６ａ、出力用第２端子２６ｂ及び出力用第３端子２６ｃが形成されている。なお、入力用ＦＰＣ２５においては、ＬＥＤ駆動部２２からの１本の配線が３本に分岐され、各分岐線が各入力用端子２５ａ〜２５ｃに接続されているのに対し、出力用コネクタ２６の各出力用端子２６ａ〜２６ｃは、ＬＥＤ駆動部２２に対して個別の配線により接続されている。
【００４８】
そして、各ＬＥＤ基板１８において接続配線２７及びスルー配線２８は、互いに交差する交差部２９を有しており、それにより第１端子部２３ａにおける各第１端子２７ａ，２８Ａａ，２８Ｂａの配置と、第２端子部２４ａにおける各第２端子２７ｂ，２８Ａｂ，２８Ｂｂの配置とが全て異なるものとされている。詳しくは、交差部２９は、ＬＥＤ基板１８において最もコネクタ接続部２４寄りのＬＥＤ１７と第２端子部２４ａとの間に配され、互いに並行する接続配線２７及び第１スルー配線２８Ａに対して第２スルー配線２８Ｂが跨ぐようにして交差することで形成されている。なお、交差部２９において各配線２７，２８Ａ，２８Ｂ間には図示しない絶縁層が介設されることで、相互が絶縁状態に保たれている。従って、第１端子部２３ａにおいては、図７に示す上から接続用第１端子２７ａ、第１スルー用第１端子２８Ａａ、第２スルー用第１端子２８Ｂａの順で配置されるのに対し、第２端子部２４ａにおいては、図７に示す上から第２スルー用第２端子２８Ｂｂ、接続用第２端子２７ｂ、第１スルー用第２端子２８Ａｂの順で配置されることになる。第１端子部２３ａ及び第２端子部２４ａの各端子を上記のような配置としているので、コネクタ部２３にコネクタ接続部２４を差し込むと、接続用第１端子２７ａに第２スルー用第２端子２８Ｂｂが、第１スルー用第１端子２８Ａａに接続用第２端子２７ｂが、第２スルー用第１端子２８Ｂａに第１スルー用第２端子２８Ａｂがそれぞれ接触され、相互の電気的接続が図られる。
【００４９】
具体的に３枚のＬＥＤ基板１８Ａ〜１８Ｃを順次に並列配置して隣り合うコネクタ部２３及びコネクタ接続部２４を接続すると、第１ＬＥＤ基板１８Ａの接続配線２７は、第２ＬＥＤ基板１８Ｂの第１スルー配線２８Ａ及び第３ＬＥＤ基板１８Ｃの第２スルー配線２８Ｂに接続され、第２ＬＥＤ基板１８Ｂの接続配線２７は、第１ＬＥＤ基板１８Ａの第２スルー配線２８Ｂ及び第３ＬＥＤ基板１８Ｃの第１スルー配線２８Ａに接続され、第３ＬＥＤ基板１８Ｃの接続配線２７は、第１ＬＥＤ基板１８Ａの第１スルー配線２８Ａ及び第２ＬＥＤ基板１８Ｂの第２スルー配線２８Ｂに接続される。このように各ＬＥＤ基板１８Ａ〜１８Ｃにおける接続配線２７は、それぞれ他のＬＥＤ基板１８に設けられたスルー配線２８を介してＬＥＤ駆動部２２に接続されており、それにより各接続配線２７に連ねられる各ＬＥＤ１７群を並列した形でそれぞれ直列駆動することが可能とされている。なお、各ＬＥＤ基板１８Ａ〜１８Ｃは、全て同一の配線パターンを有するとともに全て同一のＬＥＤ１７、コネクタ部２３及びコネクタ接続部２４を有しており、同一の部品とされている。これにより、ＬＥＤ基板１８に係る製造コストの低減が図られている。
【００５０】
本実施形態は以上のような構造であり、続いてその作用を説明する。液晶表示装置１０の電源をＯＮすると、図示しない制御回路により液晶パネル１１の駆動が制御されるとともに、バックライト装置１２における各ＬＥＤ１７の駆動が制御されることで液晶パネル１１に照明光が照射され、もって液晶パネル１１に所定の画像が表示される。以下、バックライト装置１２に係る作用について詳しく説明する。
【００５１】
ＬＥＤ１７を点灯させると、図３に示すように、ＬＥＤ１７から出射した光は、導光部材１９の光入射面１９ａに入射し、導光部材１９内において外部の空気層との境界面にて全反射するなどしつつ内部を伝播する。そして、光が反射シート２０の設置面１９ｃに至ると、そこに形成された凹凸部により散乱反射されたり、散乱されてから反射シート２０により反射されることで表側へ立ち上げられる。立ち上げられた光は、散乱された状態で光出射面１９ｂに至るため、その入射角が臨界角を超えない大きさとされており、もって光出射面１９ｂから出射される。導光部材１９からの出射光は、光学部材１５を透過する過程でさらに均一な面状の光に変換されて液晶パネル１１へと照射される。
【００５２】
ここで、ＬＥＤ１７の駆動回路に係る作用について説明する。ＬＥＤ駆動部２２からの駆動電圧は、図６に示すように、各ＬＥＤ基板１８毎にグループ化された各ＬＥＤ１７群に対してそれぞれ個別に付与され、各ＬＥＤ１７群に含まれるＬＥＤ１７がそれぞれ直列駆動されて点灯される。このように多数のＬＥＤ１７を３つのＬＥＤ１７群に分けて並列した形でそれぞれ直列駆動することで、個々のＬＥＤ１７群の駆動電圧を小さなものとすることができるのである。
【００５３】
ところで、本実施形態に係る各ＬＥＤ基板１８Ａ〜１８Ｃは、図７に示すように、実装されたＬＥＤ１７に接続された接続配線２７に加えて、ＬＥＤ１７には接続されないスルー配線２８を他のＬＥＤ基板１８数に対応して２本備え、さらには互いに並行する接続配線２７及び第１スルー配線２８Ａに対して第２スルー配線２８Ｂが交差することで交差部２９が形成されている。これにより、コネクタ部２３に備えられた第１端子部２３ａをなす各第１端子２７ａ，２８Ａａ，２８Ｂａの配置と、コネクタ接続部２４に備えられた第２端子部２４ａをなす各第２端子２７ｂ，２８Ａｂ，２８Ｂｂの配置とが全て異なるものとされる。そして、コネクタ部２３にコネクタ接続部２４を差し込むと、接続用第１端子２７ａに第２スルー用第２端子２８Ｂｂが、第１スルー用第１端子２８Ａａに接続用第２端子２７ｂが、第２スルー用第１端子２８Ｂａに第１スルー用第２端子２８Ａｂがそれぞれ接続される。
【００５４】
以上の構成からＬＥＤ駆動部２２に対する各ＬＥＤ基板１８Ａ〜１８Ｃの各ＬＥＤ１７群の詳しい接続構造は、次の通りとされる。すなわち、第１ＬＥＤ基板１８ＡのＬＥＤ１７群は、第１ＬＥＤ基板１８Ａの接続配線２７、他の第２ＬＥＤ基板１８Ｂの第１スルー配線２８Ａ、他の第３ＬＥＤ基板１８Ｃの第２スルー配線２８Ｂを介してＬＥＤ駆動部２２に接続されている。第２ＬＥＤ基板１８ＢのＬＥＤ１７群は、第２ＬＥＤ基板１８Ｂの接続配線２７、他の第１ＬＥＤ基板１８Ａの第２スルー配線２８Ｂ、他の第３ＬＥＤ基板１８Ｃの第１スルー配線２８Ａを介してＬＥＤ駆動部２２に接続されている。第３ＬＥＤ基板１８ＣのＬＥＤ１７群は、第３ＬＥＤ基板１８Ｃの接続配線２７、他の第１ＬＥＤ基板１８Ａの第１スルー配線２８Ａ、他の第２ＬＥＤ基板１８Ｂの第２スルー配線２８Ｂを介してＬＥＤ駆動部２２に接続されている。以上のように、各ＬＥＤ基板１８Ａ〜１８Ｃの各ＬＥＤ１７群に対してＬＥＤ駆動部２２を接続するにあたり、他のＬＥＤ基板１８のスルー配線２８を利用しているから、仮に各ＬＥＤ基板毎にＬＥＤ駆動部２２からの入出力配線をそれぞれ個別に接続した場合に比べると、使用する配線の数を低減できるとともに配線の取り回しを容易に行うことができて製造に係るコストの低減などを図ることができる。
【００５５】
以上説明したように本実施形態のバックライト装置１２は、光源であるＬＥＤ１７が実装された複数のＬＥＤ基板１８を備え、ＬＥＤ基板１８には、実装されたＬＥＤ１７に電気的に接続される接続配線２７と、実装されたＬＥＤ１７には電気的に接続されないスルー配線２８とが設けられており、接続配線２７には、他のＬＥＤ基板１８におけるスルー配線２８が電気的に接続されている。
【００５６】
このようにすれば、各ＬＥＤ基板１８において実装されたＬＥＤ１７に電気的に接続される接続配線２７は、他のＬＥＤ基板１８においてＬＥＤ１７には電気的に接続されないスルー配線２８に対してそれぞれ電気的に接続される。従って、所定のＬＥＤ基板１８に実装されたＬＥＤ１７は、接続配線２７及び他のＬＥＤ基板１８のスルー配線２８を介して外部のＬＥＤ駆動部２２に電気的に接続されることで駆動が可能とされる。つまり、他のＬＥＤ基板１８に設けたスルー配線２８を利用してＬＥＤ１７を外部のＬＥＤ駆動部２２に接続しているので、仮に各ＬＥＤ基板毎に外部のＬＥＤ駆動部２２への接続用の配線をＬＥＤ基板とは別途に設けた場合と比べると、接続構造を簡素化することができ、作業性などに優れる。
【００５７】
また、ＬＥＤ基板１８における一端側に第１端子部２３ａが、他端側に第２端子部２４ａがそれぞれ設けられており、第１端子部２３ａには、接続配線２７における一端側に設けられた接続用第１端子２７ａと、スルー配線２８における一端側に設けられたスルー用第１端子２８Ａａ，２８Ｂａとが互いに隣り合って配されるのに対し、第２端子部２４ａには、接続配線２７における他端側に設けられた接続用第２端子２７ｂと、スルー配線２８における他端側に設けられたスルー用第２端子２８Ａｂ，２８Ｂｂとが互いに隣り合って配されており、接続配線２７及びスルー配線２８は、第１端子部２３ａにおける接続用第１端子２７ａ及びスルー用第１端子２８Ａａ，２８Ｂａの配置と、第２端子部２４ａにおける接続用第２端子２７ｂ及びスルー用第２端子２８Ａｂ，２８Ｂｂの配置とが異なるよう、互いに交差する交差部２９を有している。
【００５８】
このようにすれば、所定のＬＥＤ基板１８と他のＬＥＤ基板１８とを電気的に接続するにあたり、例えば所定のＬＥＤ基板１８における第２端子部２４ａに、他のＬＥＤ基板１８における第１端子部２３ａを接続する。ここで、接続配線２７とスルー配線２８とが交差部２９を有することで、所定のＬＥＤ基板１８における第２端子部２４ａをなす接続用第２端子２７ｂ及びスルー用第２端子２８Ａｂ，２８Ｂｂの配置と、他のＬＥＤ基板１８における第１端子部２３ａをなす接続用第１端子２７ａ及びスルー用第１端子２８Ａａ，２８Ｂａの配置とが異なるものとされているから、第２端子部２４ａに第１端子部２３ａを接続すると、接続用第２端子２７ｂとスルー用第１端子２８Ａａ，２８Ｂａのいずれかとが接続されるとともに、スルー用第２端子２８Ａｂ，２８Ｂｂのいずれかと接続用第１端子２７ａとが接続される。これにより、所定のＬＥＤ基板１８における接続配線２７と他のＬＥＤ基板１８におけるスルー配線２８とが接続されるとともに、所定のＬＥＤ基板１８におけるスルー配線２８と他のＬＥＤ基板１８における接続配線２７とが接続されることになる。従って、複数のＬＥＤ基板１８を同じ配線構造としても、相互の接続配線２７とスルー配線２８とを接続することが可能となり、もってＬＥＤ基板１８に係る製造コストを低減することができる。
【００５９】
また、ＬＥＤ基板１８は、少なくとも第１ＬＥＤ基板１８Ａと第２ＬＥＤ基板１８Ｂと第３ＬＥＤ基板１８Ｃとから構成され、それぞれのＬＥＤ基板１８には、スルー配線２８が少なくとも２本ずつ設けられており、第１ＬＥＤ基板１８Ａにおける接続配線２７は、第２ＬＥＤ基板１８Ｂにおけるスルー配線２８のいずれかと、第３ＬＥＤ基板１８Ｃにおけるスルー配線２８のいずれかとに接続され、第１ＬＥＤ基板１８Ａにおける少なくとも２本のスルー配線２８は、第２ＬＥＤ基板１８Ｂにおける接続配線２７または第１ＬＥＤ基板１８Ａの接続配線２７に接続されたものとは別のスルー配線２８と、第３ＬＥＤ基板１８Ｃのうち第１ＬＥＤ基板１８Ａの接続配線２７に接続されたものとは別のスルー配線２８または接続配線２７とにそれぞれ接続されている。このようにすれば、３枚以上のＬＥＤ基板１８を好適に接続することができる。
【００６０】
また、ＬＥＤ基板１８には、第１端子部２３ａを有するコネクタ部２３が設けられる一方、第２端子部２４ａを有するとともに他のＬＥＤ基板１８におけるコネクタ部２３に対して差し込まれるコネクタ接続部２４が設けられている。このようにすれば、仮に各端子部同士を中継接続する中継部品をＬＥＤ基板１８とは別途に設けた場合と比べて、部品点数を削減することができ、低コスト化を図ることができる。
【００６１】
また、ＬＥＤ１７における発光面と対向する導光部材１９が備えられている。このようにすれば、導光部材１９によりＬＥＤ１７からの光を導光しつつ出射させることができる。
【００６２】
また、導光部材１９は、複数のＬＥＤ基板１８に対応して複数備えられるとともに、相互に並列して配されている。このようにすれば、ＬＥＤ基板１８毎に導光部材１９を用意するとともに各ＬＥＤ基板１８における各ＬＥＤ１７をそれぞれ駆動することで、導光部材１９毎に出光の是非を制御することが可能となる。また、仮に１枚の大型の導光部材を用いた場合に比べると、各導光部材１９の製造を容易なものとすることができる。
【００６３】
また、導光部材１９は、発光面と対向するとともに光が入射される光入射面１９ａと、光入射面１９ａと交差し且つＬＥＤ１７と光入射面１９ａとの並び方向に並行する形態とされるとともに光を出射させる光出射面１９ｂとを備えている。このようにすれば、導光部材１９における光入射面１９ａと対向状に配したＬＥＤ１７からの光を、光入射面１９ａと交差し且つＬＥＤ１７と光入射面１９ａとの並び方向に並行する形態の光出射面１９ｂから出射させることができる。これにより、当該バックライト装置１２の薄型化に好適となる。
【００６４】
また、光源は、ＬＥＤ１７とされる。このようにすれば、高輝度化などを図ることができる。
また、複数のＬＥＤ基板１８にそれぞれ電気的に接続されるＬＥＤ駆動部２２を備えている。このようにすれば、当該バックライト装置１２に備えられたＬＥＤ駆動部２２により複数のＬＥＤ基板１８における各ＬＥＤ１７を駆動することができる。
【００６５】
＜実施形態２＞
本発明の実施形態２を図８から図１０によって説明する。この実施形態２では、ＬＥＤ基板１１８及び導光部材１１９の設置数及び配置を変更するとともに、ＬＥＤ基板１１８の接続構造及び配線パターンを変更したものを示す。なお、上記した実施形態１と同様の構造、作用及び効果について重複する説明は省略する。
【００６６】
ＬＥＤ基板１１８及び導光部材１１９は、図８及び図９に示すように、Ｙ軸方向について２つずつ、Ｘ軸方向について３つずつ、合計６つずつ並列して配されている。各ＬＥＤ基板１１８には、ＬＥＤ１７が４つずつ実装されている。各ＬＥＤ基板１１８は、各ＬＥＤ１７の発光方向が全て同じ向きで図８及び図９に示す右側を向くものとされる。各導光部材１１９は、光入射面１１９ａが全て同じ向きで図８及び図９に示す左側（ＬＥＤ側）を向くものとされる。ＬＥＤ基板１１８は、Ｘ軸方向について間欠的に配されており、Ｘ軸方向について隣り合うＬＥＤ基板１１８の間に導光部材１１９が介在している。ＬＥＤ基板１１８及び導光部材１１９を図８及び図９に示す左側から順に１列目、２列目、３列目としたとき、１列目のＬＥＤ基板１１８及びそのＬＥＤ１７は、バックライト装置１２の端部に配されていて受け板１４ｃにより表側から覆われているのに対し、２列目のＬＥＤ基板１１８及びそのＬＥＤ１７は、１列目の導光部材１１９の先端部により表側から覆われており、さらには３列目のＬＥＤ基板１１８及びそのＬＥＤ１７は、２列目の導光部材１１９の先端部により表側から覆われている。
【００６７】
ＬＥＤ基板１１８における長辺方向の一方の端部（図８に示す上側の端部）には、図８に示すように、第１コネクタ部３０が一体に設けられているのに対し、他方の端部（図８に示す下側の端部）には、第２コネクタ部３１が一体に設けられている。これら第１コネクタ部３０及び第２コネクタ部３１には、入力用ＦＰＣ２５または出力用ＦＰＣ１２６または後述する中継用ＦＰＣ３２，３３のいずれかが差し込まれるようになっており、それにより他のＬＥＤ基板１１８及びＬＥＤ駆動部２２に接続されるようになっている。第１コネクタ部３０及び第２コネクタ部３１には、実施形態１と同様に各配線の端子により構成される第１端子部３０ａ及び第２端子部３１ａがそれぞれ備えられている。なお、本実施形態では、上記した実施形態１に記載した出力用コネクタ２６に代えて同様の端子及び配線を有する出力用ＦＰＣ１２６が用いられている。
【００６８】
ＬＥＤ基板１１８の配線パターンについて説明する。ＬＥＤ基板１１８は、図１０に示すように、４つのＬＥＤ１７を直列接続する１本の接続配線２７と、他のＬＥＤ基板１１８の数に対応して５本のスルー配線２８とを備えている。５本のスルー配線２８については、区別のため、図１０に示す上側から順に第１スルー配線２８Ａ、第２スルー配線２８Ｂ、第３スルー配線２８Ｃ、第４スルー配線２８Ｄ、第５スルー配線２８Ｅとする。このうち、第１スルー配線２８Ａ、第２スルー配線２８Ｂ、第３スルー配線２８Ｃ及び第４スルー配線２８Ｄは、いずれも接続配線２７に並行するのに対し、第５スルー配線２８Ｅは、互いに並行する他の配線２７，２８Ａ〜２８Ｄを跨ぐようにして交差しており、それにより交差部１２９が形成されている。そして、各配線２７，２８Ａ〜２８Ｅのうち第１コネクタ部３０の第１端子部３０ａを構成する各第１端子２７ａ，２８Ａａ〜２８Ｅａは、図１０に示す上から接続用第１端子２７ａ、第１スルー用第１端子２８Ａａ、第２スルー用第１端子２８Ｂａ、第３スルー用第１端子２８Ｃａ、第４スルー用第１端子２８Ｄａ、第５スルー用第１端子２８Ｅａの順で配置されるのに対し、第２コネクタ部３１の第２端子部３１ａを構成する各第２端子２７ｂ，２８Ａｂ〜２８Ｅｂは、図１０に示す上から第５スルー用第２端子２８Ｅｂ、接続用第２端子２７ｂ、第１スルー用第２端子２８Ａｂ、第２スルー用第２端子２８Ｂｂ、第３スルー用第２端子２８Ｃｂ、第４スルー用第２端子２８Ｄｂの順で配置される。
【００６９】
ところで、本実施形態では、ＬＥＤ基板１１８をＹ軸方向に沿って２枚並列してなる組をＸ軸方向について間欠的に３つ並列して配置しているため、これらのＬＥＤ基板１１８を中継接続する中継用ＦＰＣ３２，３３による接続順序は、中継用ＦＰＣ３２をシャーシ１４内で取り回す都合上、次のようなものとされる。すなわち、ＬＥＤ基板１１８は、１列目の図８に示す上側の第１ＬＥＤ基板１１８Ａ、同下側の第２ＬＥＤ基板１１８Ｂ、２列目の同図下側の第３ＬＥＤ基板１１８Ｃ、同上側の第４ＬＥＤ基板１１８Ｄ、３列目の同図上側の第５ＬＥＤ基板１１８Ｅ、同下側の第６ＬＥＤ基板１１８Ｆの順で中継用ＦＰＣ３２，３３により接続される。Ｙ軸方向に隣り合うＬＥＤ基板１１８同士（第１ＬＥＤ基板１１８Ａと第２ＬＥＤ基板１１８Ｂ、第３ＬＥＤ基板１１８Ｃと第４ＬＥＤ基板１１８Ｄ、第５ＬＥＤ基板１１８Ｅと第６ＬＥＤ基板１１８Ｆ）は、第１コネクタ部３０と第２コネクタ部３１とが隣り合う配置とされるので、第１コネクタ部３０と第２コネクタ部３１とを中継接続する第１中継用ＦＰＣ３２により中継接続される。一方、Ｘ軸方向に隣り合うＬＥＤ基板１１８同士（第２ＬＥＤ基板１１８Ｂと第３ＬＥＤ基板１１８Ｃ、第４ＬＥＤ基板１１８Ｄと第５ＬＥＤ基板１１８Ｅ）は、第１コネクタ部３０同士または第２コネクタ部３１同士を中継接続する第２中継用ＦＰＣ３３により中継接続される。
【００７０】
なお、第１ＬＥＤ基板１１８Ａ、第２ＬＥＤ基板１１８Ｂ、第５ＬＥＤ基板１１８Ｅ及び第６ＬＥＤ基板１１８Ｆでは、第１コネクタ部３０（第１端子部３０ａ）が入力側で、第２コネクタ部３１（第２端子部３１ａ）が出力側とされるのに対し、第３ＬＥＤ基板１１８Ｃ及び第４ＬＥＤ基板１１８Ｄは、第２コネクタ部３１（第２端子部３１ａ）が入力側で、第１コネクタ部３０（第１端子部３０ａ）が出力側とされる。このため、第３ＬＥＤ基板１１８Ｃ及び第４ＬＥＤ基板１１８Ｄにおいては、配線パターン及び各コネクタ部３０，３１の構成は、他のＬＥＤ基板１１８Ａ，１１８Ｂ，１１８Ｅ，１１８Ｆと同一であるものの、各ＬＥＤ１７が極性を逆にした向きで実装されている点で他のＬＥＤ基板１１８Ａ，１１８Ｂ，１１８Ｅ，１１８Ｆとは相違している。しかしながら、全ＬＥＤ基板１１８において配線パターン及び各コネクタ部３０，３１の構成については共通化されているので、ＬＥＤ基板１１８に係る製造コストの低減を図ることができる。
【００７１】
中継用ＦＰＣ３２，３３は、中継配線３４，３５を６本ずつ有しており、その一方の端部に第１端子３４Ａａ〜３４Ｆａ，３５Ａａ〜３５Ｆａが、他方の端部に第２端子３４Ａｂ〜３４Ｆｂ，３５Ａｂ〜３５Ｆｂがそれぞれ形成されている。中継配線３４，３５は、図１０に示す上から第１端子３４Ａａ〜３４Ｆａ，３５Ａａ〜３５Ｆａを基準として、第１中継配線３４Ａ，３５Ａ、第２中継配線３４Ｂ，３５Ｂ、第３中継配線３４Ｃ，３５Ｃ、第４中継配線３４Ｄ，３５Ｄ、第５中継配線３４Ｅ，３５Ｅ、第６中継配線３４Ｆ，３５Ｆとされる。なお、各第１端子３３Ａａ〜３３Ｆａ，３５Ａａ〜３５Ｆａにより第１中継端子部３２ａ，３３ａが、各第２端子３３Ａｂ〜３３Ｆｂ，３５Ａｂ〜３５Ｆｂにより第２中継端子部３２ｂ，３３ｂがそれぞれ構成される。そして、第１中継用ＦＰＣ３２は、互いに各端子の配置が異なる第１コネクタ部３０と第２コネクタ部３１とを接続するものであるから、各中継配線３４は全て互いに並行する形態とされる。従って、第１中継用ＦＰＣ３２の第１中継端子部３０ａ及び第２中継端子部３１ａにおける各端子の配置は、図１０の上から第１中継配線３５Ａ〜第６中継配線３５Ｆの順とされる。
【００７２】
一方、第２中継用ＦＰＣ３３は、互いに各端子の配置が同一の第１コネクタ部３０同士または第２コネクタ部３１同士を接続するものであるから、各中継配線３５が互いに交差する形態とされる。詳しくは、第１中継配線３５Ａ〜第４中継配線３５Ｄが互いに並行するとともに、第５中継配線３５Ｅ及び第６中継配線３５Ｆが互いに並行するものの、第５中継配線３５Ｅ及び第６中継配線３５Ｆが第１中継配線３５Ａ〜第４中継配線３５Ｄを跨ぐようにして交差している。これにより、第２中継用ＦＰＣ３３では、第１中継端子部３３ａにおいて図１０に示す上から第１中継配線３５Ａ〜第６中継配線３５Ｆの順（第１端子３５Ａａ〜３５Ｆａの順）で配されるのに対し、第２中継端子部３３ｂにおいては、図１０に示す上から第５中継配線３５Ｅの第２端子３５Ｅｂ、第６中継配線３５Ｆの第２端子３５Ｆｂ、第１中継配線３５Ａの第２端子３５Ａｂ、第２中継配線３５Ｂの第２端子３５Ｂｂ、第３中継配線３５Ｃの第２端子３５Ｃｂ、第４中継配線３５Ｄの第２端子３５Ｄｂの順で配される。
【００７３】
上記した構成の各中継用ＦＰＣ３２，３３を用いた各ＬＥＤ基板１１８の接続構造についてより詳しく説明する。第１ＬＥＤ基板１１８Ａの第２コネクタ部３１及び第２ＬＥＤ基板１１８Ｂの第１コネクタ部３０には、第１中継用ＦＰＣ３２が差し込まれる。これにより、第１ＬＥＤ基板１１８Ａにおける接続配線２７及び第１スルー配線２８Ａ〜第４スルー配線２８Ｄがそれぞれ第２ＬＥＤ基板１１８Ｂの第１スルー配線２８Ａ〜第５スルー配線２８Ｅに、第１ＬＥＤ基板１１８Ａの第５スルー配線２８Ｅが第２ＬＥＤ基板１１８Ｂの接続配線２７に接続される。なお、第１中継用ＦＰＣ３２を用いる第３ＬＥＤ基板１１８Ｃ及び第４ＬＥＤ基板１１８Ｄ間の接続、及び第５ＬＥＤ基板１１８Ｅ及び第６ＬＥＤ基板１１８Ｆ間の接続について、各配線の接続関係は、上記した第１ＬＥＤ基板１１８Ａ及び第２ＬＥＤ基板１１８Ｂ間の接続と同様であるから、重複する説明は割愛する。
【００７４】
これに対して、第２ＬＥＤ基板１１８Ｂの第２コネクタ部３１及び第３ＬＥＤ基板１１８Ｃの第２コネクタ部３１には、第２中継用ＦＰＣ３３が差し込まれる。これにより、第２ＬＥＤ基板１１８Ｂの第４スルー配線２８Ｄが第３ＬＥＤ基板１１８Ｃの接続配線２７に、第２ＬＥＤ基板１１８Ｂの第５スルー配線２８Ｅが第３ＬＥＤ基板１１８Ｃの第１スルー配線２８Ａに、第２ＬＥＤ基板１１８Ｂの接続配線２７及び第１スルー配線２８Ａ〜第３スルー配線２８Ｃがそれぞれ第３ＬＥＤ基板１１８Ｃの第２スルー配線２８Ｂ〜第５スルー配線２８Ｅに接続される。なお、第２中継用ＦＰＣ３３を用いる第４ＬＥＤ基板１１８Ｄ及び第５ＬＥＤ基板１１８Ｅ間では、第１コネクタ部３０同士を接続するものの、各配線の接続関係については、上記した第２ＬＥＤ基板１１８Ｂ及び第３ＬＥＤ基板１１８Ｃ間の接続と同様であるから、重複する説明は割愛する。また、第１ＬＥＤ基板１１８Ａの第１コネクタ部３０には、入力用ＦＰＣ２５が差し込まれ、第６ＬＥＤ基板１１８Ｆの第２コネクタ部３１には、出力用ＦＰＣ１２６が差し込まれることで、ＬＥＤ駆動部２２に対する各ＬＥＤ基板１１８Ａ〜１１８Ｆの接続が図られる。
【００７５】
上記した接続構造により各ＬＥＤ基板１１８Ａ〜１１８Ｆにおける各接続配線２７は、他のＬＥＤ基板１１８の各スルー配線２８を介してＬＥＤ駆動部２２に接続されている。一例を挙げると、第１ＬＥＤ基板１１８Ａの接続配線２７は、第２ＬＥＤ基板１１８Ｂの第１スルー配線２８Ａ、第３ＬＥＤ基板１１８Ｃの第３スルー配線２８Ｃ、第４ＬＥＤ基板１１８Ｄの第２スルー配線２８Ｂ、第５ＬＥＤ基板１１８Ｅの第４スルー配線２８Ｄ、第６ＬＥＤ基板１１８Ｆの第５スルー配線２８Ｅを介してＬＥＤ駆動部２２に接続される。同様に第２ＬＥＤ基板１１８Ｂ〜第６ＬＥＤ基板１１８Ｆの各接続配線２７は、いずれも他のＬＥＤ基板１１８の接続配線２７に接続されることなく、スルー配線２８のみに接続されている。これにより、各接続配線２７に連ねられる各ＬＥＤ１７群をＬＥＤ駆動部２２に並列した形でそれぞれ直列接続することができ、もってそれら各ＬＥＤ１７群をそれぞれ直列駆動することが可能とされている。しかも、シャーシ１４内における配置の都合上、入出力が互いに逆となるＬＥＤ基板１１８が含まれているものの、実装するＬＥＤ１７の極性を逆にするだけで、配線パターン及び各コネクタ部３０，３１の構成については共通化されているので、ＬＥＤ基板１１８に係る製造コストの低減を図ることができる。さらには、ＬＥＤ基板１１８間を中継接続する中継用ＦＰＣ３２，３３も２種類のみで済むため、一層の製造コストの低減を図ることができる。
【００７６】
以上説明したように本実施形態によれば、第１ＬＥＤ基板１１８Ａにおける第２端子部３１ａと第２ＬＥＤ基板１１８Ｂにおける第１端子部３０ａとを中継接続する第１中継部品である第１中継用ＦＰＣ３２と、第２ＬＥＤ基板１１８Ｂにおける第２端子部３１ａと第３ＬＥＤ基板１１８Ｃにおける第２端子部３１ａとを中継接続する第２中継部品である第２中継用ＦＰＣ３３とを備えており、第１中継用ＦＰＣ３２は、第１ＬＥＤ基板１１８Ａにおける第２端子部３１ａと第２ＬＥＤ基板１１８Ｂにおける第１端子部３０ａとに接続されるとともに互いに並行する複数の並行中継配線である中継配線３４を有するのに対し、第２中継用ＦＰＣ３３は、第２ＬＥＤ基板１１８Ｂにおける第２端子部３１ａと第３ＬＥＤ基板１１８Ｃにおける第２端子部３１ａとに接続されるとともに互いに交差する複数の交差中継配線である中継配線３５を有している。
【００７７】
まず、第１ＬＥＤ基板１１８Ａ及び第２ＬＥＤ基板１１８Ｂは、第２端子部３１ａと第１端子部３０ａとが第１中継用ＦＰＣ３２により中継接続される。ここで、第２端子部３１ａをなす接続用第２端子２７ｂ及びスルー用第２端子２８Ａｂ〜２８Ｅｂの配置と、第１端子部３０ａをなす接続用第１端子２７ａ及びスルー用第１端子２８Ａａ〜２８Ｅａの配置とが異なるものとされるのに対して、第１中継用ＦＰＣ３２が互いに並行な中継配線３４を有しているので、第１ＬＥＤ基板１１８Ａにおける接続配線２７の接続用第２端子２７ｂを、第２ＬＥＤ基板１１８Ｂにおけるスルー配線２８のスルー用第１端子２８Ａａ〜２８Ｅａのいずれかに、第１ＬＥＤ基板１１８Ａにおける各スルー配線２８のスルー用第２端子２８Ａｂ〜２８Ｅｂを、第２ＬＥＤ基板１１８Ｂにおける接続配線２７の接続用第１端子２７ａまたは第１ＬＥＤ基板１１８Ａの接続配線２７に接続されたものとは別のスルー配線２８のスルー用第１端子２８Ａａ〜２８Ｅａにそれぞれ接続することができる。
【００７８】
一方、第２ＬＥＤ基板１１８Ｂ及び第３ＬＥＤ基板１１８Ｃは、第２端子部３１ａ同士が中継用ＦＰＣ３３により中継接続される。ここで、互いの第２端子部３１ａをなす接続用第２端子２７ｂ及びスルー用第２端子２８Ａｂ〜２８Ｅｂの配置が同一とされるのに対して、中継用ＦＰＣ３３は、互いに交差する中継配線３５を有しているので、第２ＬＥＤ基板１１８Ｂにおける接続配線２７の接続用第２端子２７ｂを、第３ＬＥＤ基板１１８Ｃにおけるスルー配線２８のスルー用第２端子２８Ａｂ〜２８Ｅｂのいずれかに、第２ＬＥＤ基板１１８Ｂのうち第１ＬＥＤ基板１１８Ａにおける接続配線２７に接続されたスルー配線２８におけるスルー用第２端子２８Ａｂ〜２８Ｅｂを、第３ＬＥＤ基板１１８Ｃのうち第２ＬＥＤ基板１１８Ｂの接続配線２７に接続されたものとは別のスルー配線２８におけるスルー用第２端子２８Ａｂ〜２８Ｅｂに、第２ＬＥＤ基板１１８Ｂのうち第１ＬＥＤ基板１１８Ａにおける接続配線２７とは接続されないスルー配線２８におけるスルー用第２端子２８Ａｂ〜２８Ｅｂを、第３ＬＥＤ基板１１８Ｃにおける接続配線２７の接続用第２端子２７ｂにそれぞれ接続することができる。
【００７９】
このように、第１端子部３０ａと第２端子部３１ａとを中継接続する第１中継用ＦＰＣ３２に加えて、第２中継用ＦＰＣ３３を用意することで第２端子部３１ａ同士を接続することができるので、当該バックライト装置１１２内における各ＬＥＤ基板１１８の配置の自由度を高めることが可能とされる。
【００８０】
また、第１ＬＥＤ基板１１８Ａ及び第２ＬＥＤ基板１１８Ｂは、第１ＬＥＤ基板１１８Ａにおける第２端子部３１ａと第２ＬＥＤ基板１１８Ｂにおける第１端子部３０ａとを隣り合わせた形で並列して配されるのに対し、第２ＬＥＤ基板１１８Ｂ及び第３ＬＥＤ基板１１８Ｃは、第１ＬＥＤ基板１１８Ａ及び第２ＬＥＤ基板１１８Ｂの並び方向（Ｙ軸方向）と交差する方向（Ｘ軸方向）に並列して配されている。このようにすれば、第３ＬＥＤ基板１１８Ｃが、第２ＬＥＤ基板１１８Ｂに対して、第１ＬＥＤ基板１１８Ａ及び第２ＬＥＤ基板１１８Ｂにおける並び方向と交差する方向に並列して配されているので、当該バックライト装置１１２を大型化する上で好適となる。
【００８１】
また、ＬＥＤ基板１１８には、第１端子部３０ａを有する第１コネクタ部３０と、第２端子部３１ａを有する第２コネクタ部３１とが設けられているのに対し、各中継用ＦＰＣ３２，３３は、第１コネクタ部３０または第２コネクタ部３１に対して差し込まれるものとされる。このようにすれば、第１コネクタ部３０及び第２コネクタ部３１を含めてＬＥＤ基板１１８として同一部品を用いることが可能となるので、ＬＥＤ基板１１８に係る製造コストを一層低減できる。
【００８２】
＜実施形態３＞
本発明の実施形態３を図１１によって説明する。この実施形態３は、上記した実施形態１の変形例とも言うべきものであって、実施形態１からＬＥＤ基板２１８の配線パターンを変更するとともにＬＥＤ基板２１８同士を中継用ＦＰＣ３６により接続したものを示す。端的には、実施形態１においてＬＥＤ基板１８の配線パターンが有していた交差部２９を、本実施形態では中継用ＦＰＣ３６の配線パターンに持たせるようにしている。なお、上記した実施形態１，２と同様の構造、作用及び効果について重複する説明は省略する。
【００８３】
３枚の各ＬＥＤ基板２１８における接続配線２２７及び各スルー配線２２８は、図１１に示すように、全長にわたって互いに並行する形態とされ、途中で交差することがないものとされる。一方、隣り合うＬＥＤ基板２１８（第１ＬＥＤ基板２１８Ａと第２ＬＥＤ基板２１８Ｂ、及び第２ＬＥＤ基板２１８Ｂと第３ＬＥＤ基板２１８Ｃ）における第２端子部２２４ａと第１端子部２２３ａとが次述する中継用ＦＰＣ３６により接続されるようになっている。なお、各ＬＥＤ基板２１８における両端部には、第１端子部２２３ａを備える第１コネクタ部（図示せず）と、第２端子部２２４ａを備える第２コネクタ部（図示せず）とが設けられており、これらコネクタ部の構成は実施形態２に記載したものと同様であって、それぞれ中継用ＦＰＣ３６が差し込み可能とされる。
【００８４】
中継用ＦＰＣ３６は、中継配線３７を３本有しており、その一方の端部に第１端子３７Ａａ〜３７Ｃａが、他方の端部に第２端子３７Ａｂ〜３７Ｃｂがそれぞれ形成されている。中継配線３７は、図１１に示す上から第１端子３７Ａａ〜３７Ｃａを基準として、第１中継配線３７Ａ、第２中継配線３７Ｂ、第３中継配線３７Ｃとされる。なお、各第１端子３７Ａａ〜３７Ｃａにより第１中継端子部３６ａが、各第２端子３７Ａｂ〜３７Ｃｂにより第２中継端子部３６ｂがそれぞれ構成される。そして、中継用ＦＰＣ３６における各中継配線３７は、互いに交差する交差部３８を有しており、それにより第１中継端子部３６ａにおける各第１端子３７Ａａ〜３７Ｃａの配置と、第２中継端子部３６ｂにおける各第２端子３７Ａｂ〜３７Ｃｂの配置とが全て異なるものとされている。詳しくは、第１中継配線３７Ａ及び第２中継配線３７Ｂが互いに並行するのに対し、第３中継配線３７Ｃが第１中継配線３７Ａ及び第２中継配線３７Ｂを跨ぎつつ交差する形態とされる。従って、第１中継端子部３６ａにおいては、図１１に示す上から第１中継配線３７Ａの第１端子３７Ａａ、第２中継配線３７Ｂの第１端子３７Ｂａ、第３中継配線３７Ｃの第１端子３７Ｃａの順で配置されるのに対し、第２中継端子部３６ｂにおいては、図１１に示す上から第３中継配線３７Ｃの第２端子３７Ｃｂ、第１中継配線３７Ａの第２端子３７Ａｂ、第２中継配線３７Ｂの第２端子３７Ｂｂの順で配置されることになる。
【００８５】
第１中継端子部３６ａ及び第２中継端子部３６ｂの各端子を上記のような配置としているので、中継用ＦＰＣ３６をＬＥＤ基板２１８の各コネクタ部に差し込むと、各端子の接続関係は次のようになる。すなわち、ＬＥＤ基板２１８の第２端子部２２４ａにおける接続用第２端子２２７ｂに第１中継配線３７Ａの第１端子３７Ａａが、第１スルー用第２端子２２８Ａｂに第２中継配線３７Ｂの第１端子３７Ｂａが、第２スルー用第２端子２２８Ｂｂに第３中継配線３７Ｃの第１端子３７Ｃａがそれぞれ接続される。一方、上記とは別のＬＥＤ基板２１８の第１端子部２２３ａにおける接続用第１端子２２７ａに第３中継配線３７Ｃの第２端子３７Ｃｂが、第１スルー用第１端子２２８Ａａに第１中継配線３７Ａの第２端子３７Ａｂが、第２スルー用第１端子２２８Ｂａに第２中継配線３７Ｂの第２端子３７Ｂｂがそれぞれ接続される。このようにして中継用ＦＰＣ３６により第１ＬＥＤ基板２１８Ａと第２ＬＥＤ基板２１８Ｂ、及び第２ＬＥＤ基板２１８Ｂと第３ＬＥＤ基板２１８Ｃをそれぞれ接続すると、各ＬＥＤ基板２１８の接続配線２２７が他のＬＥＤ基板２１８のスルー配線２２８を介してＬＥＤ駆動部２２に電気的に接続される。
【００８６】
＜実施形態４＞
本発明の実施形態４を図１２によって説明する。この実施形態４では、上記した実施形態１〜３からＬＥＤ基板３１８の配線パターンなどを変更し、交差部を有さない構成としたものを示す。なお、上記した実施形態１〜３と同様の構造、作用及び効果について重複する説明は省略する。
【００８７】
本実施形態では、実施形態１と同様に３枚のＬＥＤ基板３１８を接続するものを示す。各ＬＥＤ基板３１８には、それぞれＬＥＤ３１７が１つずつ実装されている。各ＬＥＤ基板３１８には、ＬＥＤ３１７に接続される接続配線３２７と、ＬＥＤ３１７には接続されない３本のスルー配線３２８Ａ〜３２８Ｃとが形成されている。接続配線３２７は、ＬＥＤ駆動部２２における入力側に接続される共通入力配線３９と、共通入力配線３９から分岐されつつＬＥＤ３１７に接続される分岐入力配線４０と、ＬＥＤ３１７から引き出されてＬＥＤ駆動部２２における出力側に接続される出力配線４１とから構成される。各スルー配線３２８Ａ〜３２８Ｃは、互いに並行する形態とされ、途中で相互に交差せず且つ接続配線３２７とも交差することがない。ＬＥＤ基板３１８における第１端子部３２３ａには、共通入力配線３９の第１端子３９ａと、出力配線４１の端子４１ａと、第１スルー配線３２８Ａの第１端子３２８Ａａと、第２スルー配線３２８Ｂの第１端子３２８Ｂａとが順次隣り合って配されている。一方、ＬＥＤ基板３１８における第２端子部３２４ａには、共通入力配線３９の第２端子３９ｂと、第１スルー配線３２８Ａの第２端子３２８Ａｂと、第２スルー配線３２８Ｂの第２端子３２８Ｂｂと、第３スルー配線３２８Ｃの端子３２８Ｃａとが順次隣り合って配されている。各ＬＥＤ基板３１８Ａ〜３１８Ｃの配線パターンは、全て同一とされる。
【００８８】
上記のような配線パターンを有する３枚のＬＥＤ３１８における第１端子部３２３ａ及び第２端子部３２４ａを相互に接続するとともに、第１ＬＥＤ基板３１８Ａにおける第１端子部３２３ａに対しては、ＬＥＤ駆動部２２からの入出力用ＦＰＣ４２を接続する。なお、入出力用ＦＰＣ４２には、入力用端子４２ａ、出力用第１端子４２ｂ、出力用第２端子４２ｃ、出力用第３端子４２ｄが形成されている。
【００８９】
各配線の接続関係について詳しく説明すると、各ＬＥＤ基板３１８における各共通入力配線３９は、相互の第１端子３９ａ及び第２端子３９ｂが接続されるとともに、第１ＬＥＤ基板３１８Ａの共通入力配線３９の第１端子３９ａが入出力用ＦＰＣ４２の入力用端子４２ａに接続される。第１ＬＥＤ基板３１８Ａにおける出力配線４１は、その端子４１ａが入出力用ＦＰＣ４２の第１出力用端子４２ｂに接続される。第２ＬＥＤ基板３１８Ｂにおける出力配線４１は、その端子４１ａが第１ＬＥＤ基板３１８Ａにおける第１スルー配線３２８Ａの第２端子３２８Ａｂに接続され、その第１スルー配線３２８Ａの第１端子３２８Ａａが入出力用ＦＰＣ４２の第２出力用端子４２ｃに接続される。第３ＬＥＤ基板３１８Ｃにおける出力配線４１は、その端子４１ａが第２ＬＥＤ基板３１８Ｂにおける第１スルー配線３２８Ａの第２端子３２８Ａｂに接続され、その第１スルー配線３２８Ａの第１端子３２８Ａａが第１ＬＥＤ基板３１８Ａにおける第２スルー配線３２８Ｂの第２端子３２８Ｂｂに接続され、さらにその第２スルー配線３２８Ｂの第１端子３２８Ｂａが入出力用ＦＰＣ４２の第３出力用端子４２ｄに接続される。以上により、第２ＬＥＤ基板３１８ＢのＬＥＤ３１７が第１ＬＥＤ基板３１８Ａの第１スルー配線３２８Ａを介して、第３ＬＥＤ基板３１８ＣのＬＥＤ３１７が第２ＬＥＤ基板３１８Ｂの第１スルー配線３２８Ａ及び第１ＬＥＤ基板３１８Ａの第２スルー配線３２８Ｂを介してそれぞれＬＥＤ駆動部２２に接続されるとともに、駆動制御が可能とされる。
【００９０】
＜他の実施形態＞
本発明は上記記述及び図面によって説明した実施形態に限定されるものではなく、例えば次のような実施形態も本発明の技術的範囲に含まれる。
（１）上記した各実施形態では、回路図において、説明の便宜上、接続配線を一番上に配し、その下に順次スルー配線を配したものを示したが、例えば接続配線を中央側に配してスルー配線を接続配線の上下に配したり、接続配線を一番下に配するような構成とすることも勿論可能である。また、各配線の配置変更に応じて各端子の配置を変更すればよい。
【００９１】
（２）上記した実施形態１，２では、ＬＥＤ基板の配線パターンにおいて、一番下のスルー配線が他の並行する接続配線及びスルー配線を跨ぎつつ交差するものを示したが、要は第１端子部の各端子と第２端子部の各端子との配置が全て異なる構成となるのであれば、具体的にどの配線をどのように交差させるかは適宜に変更可能である。例えば、接続配線が他の並行するスルー配線を跨ぎつつ交差する構成とすることも可能である。また、中継用ＦＰＣに交差部を形成した実施形態３においても上記と同様に変更可能である。
【００９２】
（３）上記した各実施形態以外にも、使用するＬＥＤ基板の枚数は、適宜に変更可能である。その場合、ＬＥＤ基板に形成するスルー配線の数は、全ＬＥＤ基板の枚数から１を引いた数とすればよい。このとき、接続配線及びスルー配線の数が４本以上の場合には、複数本ずつの配線をそれぞれ並行させるとともにそれらの配線群同士を交差させることで、交差部を形成し、第１端子部の各端子と第２端子部の各端子との配置が全て異なる構成とすることも可能である。このような配線パターンは、実施形態２，３にも適用可能である。
【００９３】
（４）上記した実施形態１，２では、ＬＥＤ基板において最もコネクタ接続部（または第２コネクタ部）寄りのＬＥＤと第２端子部との間に交差部を配したものを示したが、それ以外にも、最もコネクタ部（または第１コネクタ部）寄りのＬＥＤと第１端子部との間に交差部を配する構成とすることも可能である。
【００９４】
（５）上記した実施形態１〜３では、入力用ＦＰＣにおいて各端子からの配線を１本にまとめてＬＥＤ駆動部に接続し、出力用コネクタ（出力用ＦＰＣ）については、各端子からの配線をそれぞれ個別にＬＥＤ駆動部に接続したものを示したが、出力用コネクタ（出力用ＦＰＣ）において各端子からの配線を１本にまとめてＬＥＤ駆動部に接続し、入力用ＦＰＣについては、各端子からの配線をそれぞれ個別にＬＥＤ駆動部に接続するようにしてもよい。それ以外にも、入力用ＦＰＣ及び出力用コネクタ（出力用ＦＰＣ）の双方について、各端子からの配線をそれぞれ個別にＬＥＤ駆動部に接続するようにしてもよい。
【００９５】
（６）上記した実施形態１〜３では、入力用ＦＰＣがコネクタ部（第１コネクタ部）側の端子と同様に複数の端子を有するものを示したが、入力用ＦＰＣの端子は全て同電位であるから、１つの端子にまとめることも可能である。なお、上記（５）を適用した場合には、出力用コネクタ（出力用ＦＰＣ）にも同様に適用可能である。
【００９６】
（７）上記した各実施形態以外にも、隣り合うＬＥＤ基板の具体的な接続構造は、適宜に変更可能である。例えば、ＬＥＤ基板における一方の端部に雄型コネクタを設け、他方の端部に雄型コネクタと嵌合可能な雌型コネクタを設けるようにし、雄型コネクタ及び雌型コネクタが互いに隣り合うようＬＥＤ基板を配置するとともにそれら雄型コネクタ及び雌型コネクタを嵌合することで、相互の電気的接続を図るようにしてもよい。
【００９７】
（８）上記した各実施形態では、相対的に可撓性に乏しい板状の基材にＬＥＤを実装してなるＬＥＤ基板を示したが、例えば相対的に可撓性に富んだフィルム状（シート状）の基材にＬＥＤを実装してなるＬＥＤ基板を用いることも可能である。
【００９８】
（９）上記した各実施形態以外にも、バックライト装置におけるＬＥＤ基板の具体的な配置は、適宜に変更可能である。例えば、バックライト装置における長辺側の両端部に互いのＬＥＤが向き合う形でＬＥＤ基板をそれぞれ配置し、それらＬＥＤ基板間に挟み込む形で導光部材を配置するようにしてもよい。それ以外にも、バックライト装置における短辺側の一端部または両端部にＬＥＤ基板を配置することも可能である。さらには、バックライト装置における長辺側の端部と短辺側の端部とにそれぞれＬＥＤ基板を配置し、それに対応して導光部材を配置することも可能である。
【００９９】
（１０）上記した各実施形態では、ＬＥＤ基板と導光部材とで設置数を同じにしたものを示したが、ＬＥＤ基板の設置数と導光部材の設置数とを異ならせることも可能である。例えば、ＬＥＤ基板を複数枚設置するのに対し、導光部材を１枚のみ設置することも可能である。
【０１００】
（１１）上記した各実施形態では、導光部材の端部にＬＥＤ及びＬＥＤ基板を配してなる、エッジライト型のバックライト装置を示したが、導光部材の直下にＬＥＤ及びＬＥＤ基板を配してなる、直下型のバックライト装置にも本発明は適用可能である。なお、直下型のバックライト装置に適用する場合、導光部材を省略することも可能である。
【０１０１】
（１２）上記した各実施形態では、液晶パネルがその短辺方向を鉛直方向と一致させた縦置き状態とされるものを例示したが、液晶パネルがその長辺方向を鉛直方向と一致させた縦置き状態とされるものも本発明に含まれる。
【０１０２】
（１３）上記した実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１０３】
（１４）上記した各実施形態では、表示パネルとして液晶パネルを用いた液晶表示装置を例示したが、他の種類の表示パネルを用いた表示装置にも本発明は適用可能である。
【０１０４】
（１５）上記した各実施形態では、チューナーを備えたテレビ受信装置を例示したが、チューナーを備えない表示装置にも本発明は適用可能である。
【０１０５】
（１６）上記した各実施形態では、青色を単色発光するＬＥＤチップを内蔵し、蛍光体によって白色光を発光するタイプのＬＥＤを用いた場合を示したが、紫外光を単色発光するＬＥＤチップを内蔵し、蛍光体によって白色光を発光するタイプのＬＥＤを用いたものも本発明に含まれる。
【０１０６】
（１７）上記した各実施形態では、青色を単色発光するＬＥＤチップを内蔵し、蛍光体によって白色光を発光するタイプのＬＥＤを用いた場合を示したが、Ｒ，Ｇ，Ｂをそれぞれ単色発光する３種類のＬＥＤチップを内蔵したタイプのＬＥＤを用いたものも本発明に含まれる。それ以外にも、Ｃ（シアン），Ｍ（マゼンタ），Ｙ（イエロー）をそれぞれ単色発光する３種類のＬＥＤチップを内蔵したタイプのＬＥＤを用いたものも本発明に含まれる。
【０１０７】
（１８）上記した各実施形態では、白色光を発光するＬＥＤを用いたものを示したが、赤色発光するＬＥＤと、青色発光するＬＥＤと、緑色発光するＬＥＤとを適宜に組み合わせて用いるようにしてもよい。
【符号の説明】
【０１０８】
１０…液晶表示装置（表示装置）、１１…液晶パネル（表示パネル）、１２，１１２…バックライト装置（照明装置）、１７，３１７…ＬＥＤ（光源）、１８，１１８，２１８，３１８…ＬＥＤ基板、１８Ａ，１１８Ａ，２１８Ａ，３１８Ａ…第１ＬＥＤ基板、１８Ｂ，１１８Ｂ，２１８Ｂ，３１８Ｂ…第２ＬＥＤ基板、１８Ｃ，１１８Ｃ，２１８Ｃ，３１８Ｃ…第３ＬＥＤ基板、１９，１１９…導光部材、１９ａ，１１９ａ…光入射面、１９ｂ…光出射面、２２…ＬＥＤ駆動部（光源駆動部）、２３…コネクタ部、２３ａ，２２３ａ，３２３ａ…第１端子部、２４…コネクタ接続部、２４ａ，２２４ａ，３２４ａ…第２端子部、２７，２２７，３２７…接続配線、２７ａ，２２７ａ…接続用第１端子、２７ｂ，２２７ｂ…接続用第２端子、２８，２２８，３２８…スルー配線、２８Ａａ，２８Ｂａ，２２８Ａａ，２２７Ｂａ…スルー用第１端子、２８Ａｂ，２８Ｂｂ，２２８Ａｂ，２２８Ｂｂ…スルー用第２端子、２９，１２９，３８…交差部、３０…第１コネクタ部、３０ａ…第１端子部、３１…第２コネクタ部、３１ａ…第２端子部、３２…第１中継用ＦＰＣ（第１中継部品）、３３…第２中継用ＦＰＣ（第２中継部品）、３４…中継配線（並行中継配線）、３５…中継配線（交差中継配線）、ＴＶ…テレビ受信装置
【図１】
2011058903.tif 000003
【図２】
2011058903.tif 000004
【図３】
2011058903.tif 000005
【図４】
2011058903.tif 000006
【図５】
2011058903.tif 000007
【図６】
2011058903.tif 000008
【図７】
2011058903.tif 000009
【図８】
2011058903.tif 000010
【図９】
2011058903.tif 000011
【図１０】
2011058903.tif 000012
【図１１】
2011058903.tif 000013
【図１２】
2011058903.tif 000014
【手続補正書】
【提出日】平成24年5月2日(2012.5.2)
【手続補正１】
【補正対象書類名】特許請求の範囲
【補正対象項目名】全文
【補正方法】変更
【補正の内容】
【特許請求の範囲】
【請求項１】
光源が実装された複数の光源基板を備え、
前記光源基板には、実装された前記光源に電気的に接続される接続配線と、実装された前記光源には電気的に接続されないスルー配線とが設けられており、前記接続配線には、他の前記光源基板における前記スルー配線が電気的に接続され、
前記光源基板における一端側に第１端子部が、他端側に第２端子部がそれぞれ設けられており、前記第１端子部には、前記接続配線における一端側に設けられた接続用第１端子と、前記スルー配線における一端側に設けられたスルー用第１端子とが互いに隣り合って配されるのに対し、前記第２端子部には、前記接続配線における他端側に設けられた接続用第２端子と、前記スルー配線における他端側に設けられたスルー用第２端子とが互いに隣り合って配されており、
前記接続配線及び前記スルー配線は、前記第１端子部における前記接続用第１端子及び前記スルー用第１端子の配置と、第２端子部における前記接続用第２端子及び前記スルー用第２端子の配置とが異なるよう、互いに交差する交差部を有している照明装置。
【請求項２】
前記光源基板は、少なくとも第１光源基板と第２光源基板と第３光源基板とから構成され、それぞれの前記光源基板には、前記スルー配線が少なくとも２本ずつ設けられており、
前記第１光源基板における前記接続配線は、前記第２光源基板における前記スルー配線のいずれかと、前記第３光源基板における前記スルー配線のいずれかとに接続され、前記第１光源基板における少なくとも２本の前記スルー配線は、前記第２光源基板における前記接続配線または前記第１光源基板の前記接続配線に接続されたものとは別の前記スルー配線と、前記第３光源基板のうち前記第１光源基板の前記接続配線に接続されたものとは別の前記スルー配線または前記接続配線とにそれぞれ接続されている請求項１記載の照明装置。
【請求項３】
前記光源基板には、前記第１端子部を有するコネクタ部が設けられる一方、前記第２端子部を有するとともに前記他の光源基板における前記コネクタ部に対して差し込まれるコネクタ接続部が設けられている請求項１または請求項２記載の照明装置。
【請求項４】
前記第１光源基板における前記第２端子部と前記第２光源基板における前記第１端子部とを中継接続する第１中継部品と、前記第２光源基板における前記第２端子部と前記第３光源基板における前記第２端子部とを中継接続する第２中継部品とを備えており、
前記第１中継部品は、前記第１光源基板における前記第２端子部と前記第２光源基板における前記第１端子部とに接続されるとともに互いに並行する複数の並行中継配線を有するのに対し、前記第２中継部品は、前記第２光源基板における前記第２端子部と前記第３光源基板における前記第２端子部とに接続されるとともに互いに交差する複数の交差中継配線を有している請求項２記載の照明装置。
【請求項５】
前記第１光源基板及び前記第２光源基板は、前記第１光源基板における前記第２端子部と前記第２光源基板における前記第１端子部とを隣り合わせた形で並列して配されるのに対し、前記第２光源基板及び前記第３光源基板は、前記第１光源基板及び前記第２光源基板の並び方向と交差する方向に並列して配されている請求項４記載の照明装置。
【請求項６】
前記光源基板には、前記第１端子部を有する第１コネクタ部と、前記第２端子部を有する第２コネクタ部とが設けられているのに対し、前記第１中継部品及び前記第２中継部品は、前記第１コネクタ部または前記第２コネクタ部に対して差し込まれるものとされる請求項４または請求項５記載の照明装置。
【請求項７】
前記光源における発光面と対向する導光部材が備えられている請求項１から請求項６のいずれか１項に記載の照明装置。
【請求項８】
前記導光部材は、前記複数の光源基板に対応して複数備えられるとともに、相互に並列して配されている請求項７記載の照明装置。
【請求項９】
前記導光部材は、前記発光面と対向するとともに光が入射される光入射面と、前記光入射面と交差し且つ前記光源と前記光入射面との並び方向に並行する形態とされるとともに光を出射させる光出射面とを備えている請求項７または請求項８記載の照明装置。
【請求項１０】
前記光源は、ＬＥＤとされる請求項１から請求項９のいずれか１項に記載の照明装置。
【請求項１１】
前記複数の光源基板にそれぞれ電気的に接続される光源駆動部を備えている請求項１から請求項１０のいずれか１項に記載の照明装置。
【請求項１２】
請求項１から請求項１１のいずれか１項に記載の照明装置と、前記照明装置からの光を利用して表示を行う表示パネルとを備える表示装置。
【請求項１３】
前記表示パネルは、一対の基板間に液晶を封入してなる液晶パネルとされる請求項１２記載の表示装置。
【請求項１４】
請求項１２または請求項１３に記載された表示装置を備えるテレビ受信装置。
【国際調査報告】
2011058903.tif 000015
2011058903.tif 000016